(57)【要約】 【課題】  包装体２を介して口縁部を３次元的に露呈させた状態および／または重積させることが可能な状態に包装され、衛生的、美観的に優れた被包装コップ１を提供する。【解決手段】  シート状のプラスチックフィルム素材の側辺および／または端辺が接合されてなり、コップＣを収容する収容部４とこの収容部４に連接させた折り返し部５とを長手方向に沿って配した閉鎖袋体３の表面に間隔を隔てて配置された複数のエア抜き孔７ａからなる少なくとも１列のエア抜き部７が形成された包装体２とを備え、閉鎖袋体３内のエアをエア抜き部７から外部へ可及的に放出した状態で、折り返し部５を閉鎖袋体３に収容されたコップＣの口縁部に沿って内方へ折り返す。【選択図】  図１
2020192984.tif 000002
【特許請求の範囲】
【請求項１】
被包装体としての単体のコップ、あるいは、底部を口部に嵌合可能な形状とされた単体のコップを２個１組として重積した組体のコップと、
シート状のプラスチックフィルム素材の側辺および／または端辺が接合されてなり、前記コップＣを収容してその外表面を被覆する収容部とこの収容部に収容される前記コップの口縁部側において前記収容部に連接させた折り返し部とを長手方向に沿って配した閉鎖袋体を有し、前記閉鎖袋体の表面に間隔を隔てて配置された複数のエア抜き孔からなる少なくとも１列のエア抜き部が形成された包装体と、
を備え、
前記閉鎖袋体内のエアを前記エア抜き部から外部へ可及的に放出した状態で、前記折り返し部を閉鎖袋体に収容された前記コップの口縁部に沿って内方へ折り返して形成されていることを特徴とする被包装コップ。
【請求項２】
前記折り返し部は１個のコップの深さ寸法以上に形成されていることを特徴とする請求項１に記載の被包装コップ。
【請求項３】
前記１つの列における隣位の２つのエア抜き孔の間隔は、２ｍｍ以上とされていることを特徴とする請求項１または請求項２に記載の被包装コップ。
【発明の詳細な説明】
【技術分野】
【０００１】
本発明は、包装された状態で使用者あるいは購買者に提供される被包装コップに関する。
【背景技術】
【０００２】
近年、シティホテルなどの宿泊施設においては、宿泊者が自由に利用することができるように予め、各客室に紙製コップやプラスチック製コップ（以下、単に、コップという）がセットされている。
【０００３】
その場合においてコップは、衛生面を考慮して、プラスチックフィルムなどの包装材料で個別に包装された状態で提供されていることがある。具体的には、チューブ型の包装材料内にコップを収容させた状態で当該包装材料の長手方向両端をヒートシールして包装された被包装コップを例示することができる（ピロー包装による被包装体については特許文献１参照）。
【０００４】
【特許文献１】特開平７−２２３６０６号公報
【発明の概要】
【発明が解決しようとする課題】
【０００５】
前述のように包装されたコップは、その包装材料にエア抜き部を設け、コップとエア抜き部間のエアを抜いて当該包装材料とコップとを密接させた状態に形成しないと、コップの底部または口縁部をトレー等に当接させた状態で載置することができない。
【０００６】
他方で、エア抜き部のエア抜き孔が使用者に目視できる程度に大きく開口していると、湿気やほこりの浸入を許容することになりかねず、衛生的でなく、場合によっては、美観を大きく損ねることもある。
【０００７】
そこで、本発明は、包装体を介して口縁部を３次元的に露呈させた状態および／または重積させることが可能な状態に包装され、衛生的、美観的にも優れた被包装コップを提供することを課題とする。
【課題を解決するための手段】
【０００８】
前記課題を解決するため、本発明の第１の態様の被包装コップは、被包装体としての単体のコップ、あるいは、底部を口部に嵌合可能な形状とされた単体のコップを２個１組として重積した組体のコップと、シート状のプラスチックフィルム素材の側辺および／または端辺が接合されてなり、前記コップＣを収容してその外表面を被覆する収容部とこの収容部に収容される前記コップの口縁部側において前記収容部に連接させた折り返し部とを長手方向に沿って配した閉鎖袋体を有し、前記閉鎖袋体の表面に間隔を隔てて配置された複数のエア抜き孔からなる少なくとも１列のエア抜き部が形成された包装体とを備え、前記閉鎖袋体内のエアを前記エア抜き部から外部へ可及的に放出した状態で、前記折り返し部を閉鎖袋体に収容された前記コップの口縁部に沿って内方へ折り返して形成されていることを特徴とする。
【０００９】
このように構成された被包装コップは、前記閉鎖袋体内のエアを前記エア抜き部から外部へ放出することで、前記包装体をコップの外表面に沿わせた状態で被覆することが可能となる。そして、シート状のプラスチックフィルム素材の表面に間隔を隔てて配置された複数のエア抜き孔からなる少なくとも１列の前記エア抜き部は、使用者や購買者に視認されにくく、その美観を損なうこともなく、湿気やほこりの浸入を防ぎつつ、エア抜きの効果を発揮するものとなる。
【００１０】
そして、前記折り返し部を前記コップの口縁部に沿って内方へ折り返すことで前記コップの口縁部を、前記包装体を介して３次元的に露呈させることができ、コップの口縁部をテーブルやトレー等に当接させて伏せた状態で安定して載置することも可能となり、その際に、口縁部は前記包装体によって被覆されているので、衛生面も担保される。
【００１１】
また、前記折り返し部は１個のコップの深さ寸法以上に形成されていることを特徴とする。
【００１２】
このように、前記収容部に収容する１個のコップの深さ寸法以上に形成された前記折り返し部を前記口縁部からコップの内底部までをその内表面に沿わせて被覆し、閉鎖袋体の長手方向に形成された折り返し部側の端縁をコップの内底部に位置させることで、被包装コップを重積することが可能となる。よって、被包装コップの保管やセッティングのスペースを省略することができる。
【００１３】
さらに、前記１つの列における隣位の２つのエア抜き孔の間隔は、２ｍｍ以上とされていることを特徴とする。
【００１４】
隣位の２つのエア抜き孔間の間隔が大きければ、エア抜き孔自体が目立ちにくくなるし、また、隣位の２つのエア抜き孔間の間隔が小さくても２ｍｍ以上あるので、収容部のプラスチックフィルムが自然に裂けてしまう事態を避けることができるとともに、プラスチックフィルムを裂いてコップを取り出そうとする際の弱め線の役割を果たすこともできる。
【発明の効果】
【００１５】
このように、本発明の被包装コップによれば、衛生面、美観、使用感のいずれの点においても優れた状態で使用者あるいは購買者にコップを提供することができるという効果を奏する。しかも、コップを２個重積させれば、単体のコップの場合と比較して保管や搬送の際のスペースを省くことが可能となるという効果をも奏する。
【図面の簡単な説明】
【００１６】
【図１】本発明に係る被包装コップの実施形態を示す全体構成説明図
【図２】図１のフィルムの一部を展開して示す平面図
【図３】図１の被包装コップの完成状態を示す説明図
【図４】図３の被包装コップを重積した状態を示す説明図
【発明を実施するための形態】
【００１７】
図１は、シート状のプラスチックフィルム素材２ａからなる包装体２によって包装された１個のコップＣからなる、実施形態の被包装コップ１の全体構成を説明する説明図である。
【００１８】
本実施形態において包装されるコップＣは、本実施形態においては紙製であり、底部の直径を口縁部の直径よりも小さくしたコップである。なお、コップＣとしては、紙製のほか、プラスチック製、ガラス製、陶製など各種のものが適用可能である。
【００１９】
このコップＣを包装する包装体２は、シート状のプラスチックフィルム素材（以下、単に、フィルムという）２ａを用いた包装体２であり、フィルム２ａの両側辺を重ね合わせてヒートシール法により貼り合わせた長尺なチューブ内にコップＣを配置した状態で、チューブの両端辺の開口を閉鎖状にヒートシール法により溶着し、閉鎖袋体３として形成されている。
【００２０】
前記閉鎖袋体３はその長手方向における一端側をコップＣを収容してその外表面を被覆する収容部４とし、コップＣはこの収容部４内にその底部を一端側に向けて収容される。収容部４に連接された閉鎖袋体３の他端側は、収容されたコップＣの口縁部に沿って内方へ折り返される折り返し部５とされている。本実施形態において、折り返し部５は、収納されるコップＣの深さ寸法より若干長い程度に形成されている。
【００２１】
また、前記閉鎖袋体３の表面には、図２に詳示するように、間隔を隔てて配置された貫通孔である複数のエア抜き孔７ａ，７ａ…からなる少なくとも１列（実施形態においては６列）のエア抜き部７が形成されている。前記１つの列における隣位の２つのエア抜き孔７ａ，７ａの間隔は、２ｍｍ以上とされている。なお、各エア抜き孔７ａは、後述のエア抜きの効果、防塵の効果、そして弱め線（切取り線である場合を含む）としての作用をともになすことができる寸法とされている。
【００２２】
前記各エア抜き孔７ａは、本実施形態においては，針孔のような円形の小孔とされているが、必ずしも円形の小孔に限られるものではなく、目視されにくい楕円形、矩形など各種の形状が可能である。一方、前記エア抜き孔７ａを製造するには、一例として、シート状のフィルム素材の搬送経路に設けられている搬送ローラ（図示せず）の表面に、複数の針状突起を、同一列における隣位の２つのエア抜き孔７ａ，７ａを形成する際に設定した間隔、ならびに隣位の列における隣位の２つのエア抜き孔７ａ，７ａを形成する際に設定した間隔にそれぞれ合わせて形成しておき、この搬送ローラの回転に合わせてシート状のフィルム素材を搬送することにより、フィルム素材にエア抜き孔７ａを形成することができる。
【００２３】
また、閉鎖袋体３の側辺の接合部６は左右いずれかの方向に倒した状態で端辺の接合により固定されるものとされている。
【００２４】
そして、本実施形態の被包装コップ１は、図３に示すように、閉鎖袋体３内のエアをエア抜き部７から外部へ可及的に放出しつつ、折り返し部５を口縁部からコップＣの内底部までの内表面に沿わせるようにして折り返し、ヒートシール法により接合された折り返し部５側の端辺をコップＣの内底部に位置させるとともに、収容部４を構成する余ったフィルムをコップＣの外表面に巻き付けるようにして仕上げられている。
【００２５】
このように構成された実施形態の被包装コップ１は、折り返し部５をコップＣの口縁部に沿って内方へ折り返すことでコップＣの口縁部を包装体２を介して３次元的に露呈させるので、コップＣの口縁部をテーブルやトレー等に当接させて伏せた状態で、安定して載置することが可能となる。
【００２６】
また、針孔のような円形の小孔である各エア抜き孔７ａからなるエア抜き部７は、使用者や購買者に視認されにくいので、美観を損なうこともなく、湿気やほこり、さらには水などの浸入を防ぐことができる。また、エア抜き部７は、被包装コップ１を使用する際に閉鎖袋体３を開封するための弱め線（切取り線を含む）としても作用するので、被包装コップ１を取り出す際の封鎖袋体の開封が楽になり、使用感も向上する。
【００２７】
そして、ヒートシール法により接合された折り返し部５の側の端辺をコップＣの内底部に位置させて仕上げられていることで、それぞれにフィルムで被覆されたコップＣを、図４に示すように、一方の被包装コップ１の口縁部に他方の被包装コップ１の底部を嵌めるように密に重積することが可能となる。よって、被包装コップ１の保管やホテル室内にセッティングする際のスペースを省略することができる。
【００２８】
さらに、単体のコップＣのみならず、図３における包装体２内に複数個，特に２個のコップＣを重積して一緒にフィルム２ａにより包装するようにしてもよい。２個のコップＣを重積して一緒に包装すれば、保管や運送の際のスペースを省くことができる。
【００２９】
なお、本発明の被包装コップ１は、前述した実施形態に限定されるものではなく、必要に応じて種々の変更が可能である。例えば、エア抜き孔７ａを閉鎖袋体３の側縁の接合部６内あるいはその近傍において接合部に沿って形成することにより、エア抜き部７をさらに目立ちにくくすることができる。また、コップＣとして折り畳み可能な持ち手を備えている紙製のコップも適用可能である。
【符号の説明】
【００３０】
１  被包装コップ
２  包装体
２ａ  フィルム
３  閉鎖袋体
４  収容部
５  折り返し部
６  接合部
７  エア抜き部
７ａ  エア抜き孔
Ｃ  コップ
【図１】
2020192984.tif 000003
【図２】
2020192984.tif 000004
【図３】
2020192984.tif 000005
【図４】
2020192984.tif 000006